(57)【要約】      （修正有）【課題】着脱する際に頗る面倒な手数と労力を要しない。【解決手段】吹流し、鯉のぼり本体中へフィルム風船を嵌脱自在に収容し、吹流し、黒・赤・青鯉のぼりのフィルム風船へ空気を入れて膨張させる。ロープに取り付けた口金具７ａのフックを鯉のぼりの背びれ部に接続されたクリップ７ｂにて着脱自在に挟止固定する。これで、吹流し、鯉のぼりを屋内に於いて並行且立体的に泳いでいるように掲揚可能とし、また、吹流し、鯉のぼり本体より内部のフィルム風船を脱離し、屋外にて従来のような掲揚も可能とし、且ロープの下端へ香料入りの宝袋を結び付けた。【選択図】図３
0003101712.tif 000002
【実用新案登録請求の範囲】
【請求項１】
吹流し、鯉のぼり本体中へフィルム風船を嵌脱自在に収容し、該吹流し、黒・赤・青鯉のぼりのフィルム風船へ空気を入れて膨張させた吹流し、鯉のぼりの背びれ部へロープに取り付した口金具のフックに接続されたクリップにて着脱自在に挟止固定して、吹流し、鯉のぼりを屋内に於いて並行且立体的に泳いでいるように掲揚可能とし、また、吹流し、鯉のぼり本体より内部のフィルム風船を脱離し、屋外にて従来の掲揚も可能とし、且ロープの下端へ香料入りの宝袋を結び付けしてなる屋内掲揚立体鯉のぼり。
【請求項２】
ロープの口金具へフィルム風船を抜き出した吹流し、黒・赤・青鯉のぼりを夫々取付し、水を入れた水袋をネットの中に入れて、ロープの下端へ結び付けして成る屋外掲揚立体鯉のぼり。
【考案の詳細な説明】
【技術分野】
【０００１】
本考案は、屋内外掲揚立体鯉のぼりに関し、さらに詳しくは鯉のぼりを屋内およびベランダ・軒先など屋外の場所を選ばずに安心して掲揚できる屋内外掲揚立体鯉のぼりに関するものである。
【背景技術】
【０００２】
近年、マンション・団地などの高層住宅の激増に随伴して、鯉のぼりの掲揚も隣接する住人感情への配慮を考えながら掲揚しなければならなくなった。また、設置場所を屋外のみに限定することなく、屋内でも掲揚できるように時代に即応させなければならない。
【０００３】
なお、かつ、屋内で掲揚の際、美観上、無風状態においても、鯉のぼりが常時ほぼ設置面と並行に立体的形状を保持しつつ、絶えず鯉が泳いでいるように見えなければ意味がなくなる。
【０００４】
そこで、本考案者は図１に示すように鯉のぼり本体内部に魚型ふうせん２を収納し膨張させ、かつ背びれ部５に取付孔６を設け、ひも８で掛止された口金具７を用いて該取付孔６と係止固定し、掲揚することにより、常時設置面と並行にかつ立体的な形状を有しながら鯉が泳いで見える美しい鯉のぼりの研究開発に成功した。
そののち、この立体鯉のぼりは需要者に広く重宝され、棋界に於いて頗る好評を博して今日に至っている。
【０００５】
下記非特許文献１には、無風状態においても常時ほぼ設置面と並行にかつ、立体的な形状を保ちつつ、鯉が泳いでいるように見える新しい鯉のぼりが記載されている。
【非特許文献１】登録第３０４５０７７号実用新案公報
【考案の開示】
【考案が解決しようとする課題】
【０００６】
上記従来の鯉のぼりは、掲揚の際美観上、無風状態においても常時ほぼ設置面と並行に立体的形状を保ちつつ絶えず泳いでいるように、見えるように構成した点は非常に優れた考案である。
【０００７】
しかしながら、屋内用若しくはベランダ・軒先などの屋外用と両方兼用できる鯉のぼりとしては、技術的にいまだ完成の域に達していない。
【０００８】
かつ、また上記従来考案は図７に示すように鯉のぼり本体１の背びれ部５に設けた取付孔６と、天井に吊り下げて下方へ垂らしたひも８へ夫々掛止した口金具７とによって係止して、鯉のぼり本体１をひも８へ掲揚していたから、ひも８から鯉のぼり本体１を着脱する際に頗る面倒な手数と労力を要する課題があった。
【課題を解決するための手段】
【０００９】
本考案は上記課題を解決するためになされたものであって、その要旨とするところは、吹流し、鯉のぼり本体中へフィルム風船を嵌脱自在に収容し、該吹流し、黒・赤・青鯉のぼりのフィルム風船へ空気を入れて膨張させた吹流し、鯉のぼりの背びれ部へロープに取り付した口金具のフックに接続されたクリップにて着脱自在に挟止固定して、吹流し、鯉のぼりを屋内に於いて並行且立体的に泳いでいるように掲揚可能とし、また、吹流し、鯉のぼり本体より内部のフィルム風船を脱離し、屋外にて従来の掲揚も可能とし、且ロープの下端へ香料入りの宝袋を結び付けしてなる屋内掲揚立体鯉のぼり、及びロープの口金具へフィルム風船を抜き出した吹流し、黒・赤・青鯉のぼりを夫々取付し、水を入れた水袋をネットの中に入れて、ロープの下端へ結び付けして成る屋外掲揚立体鯉のぼりに関するものである。
【考案の効果】
【００１０】
本考案は、吹流しのフィルム風船および鯉型フィルム風船の吸入口よりストローにて人間が直接空気を入れて簡単に膨らませることができる。
【００１１】
本考案は、ロープに取付した口金具へフックを介して連結したクリップにて吹流しおよび鯉のぼりをロープへ簡単且迅速に着脱できる。したがって吹流し、鯉のぼりの掲揚、収納が頗る利便になった。
また、クリップがフックを介して余裕を持って口金具に連結されているので、着脱作業が頗る円滑にできる。
【００１２】
本考案の鯉のぼりを屋内へ掲揚する場合には、ロープの下端にハーブ香を収容した宝袋を結び付けて使用するので、室内に芳醇な香りが漂い、無風状態でも常時平行且立体的形状を保ちつつ泳いで見える鯉のぼりと相俟って、非常に有益である。
【００１３】
また、本考案は屋外にて鯉のぼりを掲揚する場合には、吹流し、鯉のぼりよりフィルム風船を抜き、かつ、ロープ下端へ宝袋に代え水袋を使用して重しとしたので、風力によって鯉のぼりが並行して泳ぐように見え、なおかつロープが風にて揺動することがなく、安定して泳ぐような鯉のぼりの掲揚が維持できる。
【考案を実施するための最良の形態】
【００１４】
本考案の屋内兼用立体鯉のぼりを実施するための最良の形態を別紙図面を参照しながら詳細に説明する。
【実施例１】
【００１５】
図１に於いて、２ａは鯉型のフィルム風船で、該フィルム風船２ａの尾びれ１６に空気の注入口１３が設けてある。このフィルム風船２ａを細く折り曲げて、口部より鯉のぼり本体１ａ中へ嵌脱自在に収容する。
このとき、フィルム風船２ａを鯉型にしっかり広げ伸ばすこと。
このように、黒鯉のぼり本体１ａ中へフィルム風船２ａを収容したならば、図１に示すように、ストロー１７を注入口１３へ挿し込みして空気を入れて、黒鯉のぼりＡ・赤鯉のぼりＢ・青鯉のぼりＣを夫々膨張させる。
【００１６】
図２に於いて、１４は端部に空気孔１５を設けてなる吹流型のフィルム風船で、該フィルム風船１４を吹流し１１ａへ収容したのち、前述鯉のぼり本体１ａと同様に空気孔１５よりストロー（図示せず）にて空気を入れて吹流し１１ａを膨張させる。しかるのち、吹流し１１ａの尾に付いているヒモ１７ａにて結び付けして吹流し１１ａ中よりフィルム風船２ａが妄りに逸出しないようする。
【００１７】
図３に於いて、８ａはロープで、このロープ８ａには適宜間隔を置いてバランス良く口金具７ａが取付されている。そして図４のように口金具７ａの先端部にはフック７ｂを介してクリップ７ｂｃが夫々取付してある。
【００１８】
また、図３に示すようにロープ８ａの下端にはハーブ香を収容する宝袋１２ａが結び付けしてある。
なお、図中９ａはロープ８ａの上部に組立て取付されている矢車である。
【００１９】
上記ロープ８ａの上端を、取付部品を使用して天井などへ取付したならば、クリップ７ｃにて前述フィルム風船入り吹流し１１ａを挟止固定して、ロープ８ａへ吹流し１１ａを掲揚する。次いで、吹流し１１ａ直下のロープ８ａに取付したクリップ７ｃにて黒鯉のぼりＡの背びれ部５ａを挟止固定して黒鯉のぼりＡを掲揚する。このような要領にて各口金具７ａのクリップ７ｃにて順次赤鯉のぼりＢ、青鯉のぼりＣの背びれ部を挟止固定して、吹流しおよび各鯉のぼりが設置面と夫々並行に泳いで見えるように掲揚する。
【００２０】
上記屋内に掲揚した鯉のぼりを仕舞う場合には、ロープ８ａを天井から外したのち、口金具７ａのクリップ７ｃを背びれ部５ａより外して、吹流し１１ａおよび黒・赤・青鯉のぼりＡ、Ｂ、Ｃをロープ８ａより脱離させれば良い。
【実施例２】
【００２１】
以上実施例１では本考案の鯉のぼりを屋内に掲揚する場合を説明したが、以下ベランダ、軒先など屋外へ掲揚する場合を説明する。
【００２２】
図５、図６に示すように、ロープ８ａに適宜間隔を置いてバランス良く取付した口金具７ａへ、フィルム風船１４を抜き出した吹流し１１ａおよびフィルム風船２ａを抜き出した黒鯉のぼりＡ、赤鯉のぼりＢ、青鯉のぼりＣの口部に設けたフック１８を口金具７ａに掛止固定させる（図６参照）。
【００２３】
なお、上記の様に屋外へ鯉のぼりを掲揚する場合には、ロープ８ａの下端に結び付けした香料入り宝袋１２ａの代わりに、図５に示すようにネットの中に、水を入れた水袋１２ｂを縛り付けしてロープ８ａが風にて揺動しないように重しとする。
屋外の場合は、このようにして軒先、ベランダの天井へロープ８ａを吊り下げして鯉のぼりを掲揚する。このとき、屋内と違って風にて吹流し、鯉のぼりが並行して泳いでいるように見える。
【産業上の利用可能性】
【００２４】
本考案は、屋内およびベランダ、軒先などの屋外の場所を選ばずに安心して掲揚できる新しい時代にマッチした好適な鯉のぼりである。したがって、マンション、高層住宅に住む住人のニーズに充分応えるものである。
【図面の簡単な説明】
【００２５】
【図１】本考案の鯉型のフィルム風船を鯉のぼりへ収容し、ストローにて空気を入れて膨張させる状態を示す参考説明図である。
【図２】本考案フィルム風船を吹流しへ収容する状態を示す参考説明図である。
【図３】本考案の鯉のぼりを屋内に掲揚した状態を示す正面図である。
【図４】本考案の鯉のぼりの背びれ部へクリップを狭着固止した状態を示す拡大図である。
【図５】本考案の鯉のぼりを屋外に掲揚した状態を示す正面図である。
【図６】図５の鯉のぼりの口部をロープの口金具へ取付する状態図である。
【図７】従来の鯉のぼりの掲揚状態図である。
【符号の説明】
【００２６】
Ａ      黒鯉のぼり
Ｂ      赤鯉のぼり
Ｃ      青鯉のぼり
１      黒鯉のぼり本体
１ａ    黒鯉のぼり本体
２      魚型ふうせん
２ａ    鯉型のフィルム風船
５      背びれ部
６      取付孔
７      口金具
７ａ    口金具
７ｂ    フック
７ｃ    クリップ
８      ひも
８ａ    ロープ
９ａ    矢車
１１ａ  吹流し
１２ａ  宝袋
１２ｂ  水袋
１３    注入口
１４    フィルム風船
１５    空気孔
１６    尾びれ
１７    ストロー
１７ａ  ヒモ
１８    フック        
【図１】
0003101712.tif 000003
【図２】
0003101712.tif 000004
【図３】
0003101712.tif 000005
【図４】
0003101712.tif 000006
【図５】
0003101712.tif 000007
【図６】
0003101712.tif 000008
【図７】
0003101712.tif 000009
【手続補正書】
【提出日】平成15年11月21日(2003.11.21)
【手続補正１】
【補正対象書類名】実用新案登録請求の範囲
【補正対象項目名】請求項２
【補正方法】変更
【補正の内容】
【請求項２】
吹流し、鯉のぼり本体中へ嵌脱自在に収容したフィルム風船を抜き出し、ロープに適宜間隔を置いて取り付けした口金具へ上記フィルム風船を抜き出した吹流し、黒・赤・青鯉のぼりの口部に設けたフックを掛止固定し、さらに水を入れた水袋をネットの中に入れて、ロープの下端へ結び付けして成る屋外掲揚立体鯉のぼり。